(57)【要約】【課題】降り積もった雪が締まり沈み込むことで生じる雪の圧力を緩和することができる、バンド体用の留め具を提供する。【解決手段】留め具３は、立設物１に回されたバンド体２を係止する留め具本体５と、その留め具本体５に対しバンド体２の回し方向と直交する縦方向の一方側にある、第１傾斜面形成部７とを備える。第１傾斜面形成部７は、留め具本体５の突出する頂部５ａ側から立設物１に向けて、留め具本体５から離れるように傾斜して下る第１傾斜外表面７ａを有する。【選択図】  図３
2018151034.tif 000002
【特許請求の範囲】
【請求項１】
立設物にバンド体を回してそのバンド体を前記立設物に取り付けるための、バンド体用の留め具であって、
前記立設物に回された前記バンド体を、そのバンド体が前記立設物を締め付けた状態で固定可能な留め具本体と、その留め具本体に対し前記バンド体の回し方向と直交する縦方向の一方側にある、傾斜面形成部とを備え、
前記傾斜面形成部は、前記留め具本体の突出する頂部側から前記立設物に向けて、前記留め具本体から離れるように傾斜して下る傾斜外表面を有する、バンド体用の留め具。
【請求項２】
前記傾斜面形成部の他に、前記留め具本体に対し前記縦方向の一方側とは異なる側にある、他側傾斜面形成部を備え、
前記他側傾斜面形成部は、前記留め具本体の突出する頂部側から前記立設物に向けて、前記留め具本体から離れるように傾斜して下る他側傾斜外表面を有する、請求項１に記載のバンド体用の留め具。
【請求項３】
前記傾斜外表面は、前記他側傾斜外表面よりも、その傾斜が緩やかである、請求項２に記載のバンド体用の留め具。
【請求項４】
前記留め具本体を覆うようにしてその留め具本体に取付け固定される、カバー体を備え、そのカバー体に、前記傾斜面形成部が設けられる、請求項１に記載のバンド体用の留め具。
【請求項５】
前記留め具本体を覆うようにしてその留め具本体に取付け固定される、カバー体を備え、そのカバー体に、前記傾斜面形成部および前記他側傾斜面形成部が設けられる、請求項２または３に記載のバンド体用の留め具。
【請求項６】
前記カバー体は、そのカバー体内部に充填材を注入するための注入口、または、打ち抜かれることで前記注入口が形成されるノックアウト部を有する、請求項４または５に記載のバンド体用の留め具。
【請求項７】
立設物に回されたバンド体を、そのバンド体が前記立設物を締め付けた状態で固定可能な留め具本体に、その留め具本体を覆うようにして取付け固定される、カバー体であって、
前記留め具本体に対し前記バンド体の回し方向と直交する縦方向の一方側にある、傾斜面形成部を備え、
前記傾斜面形成部は、前記留め具本体の突出する頂部側から前記立設物に向けて、前記留め具本体から離れるように傾斜して下る傾斜外表面を有する、留め具本体用のカバー体。
【請求項８】
請求項１に記載の留め具と、前記バンド体とからなり、
前記傾斜面形成部は、前記留め具本体と一体に形成され、
前記バンド体は、前記バンド体の一端が前記留め具から延び出るようにして、その留め具と一体に形成される、バンド装置。
【請求項９】
請求項２または３に記載の留め具と、前記バンド体とからなり、
前記傾斜面形成部および前記他側傾斜面形成部は、前記留め具本体と一体に形成され、
前記バンド体は、前記バンド体の一端が前記留め具から延び出るようにして、その留め具と一体に形成される、バンド装置。
【請求項１０】
請求項４ないし６のいずれか１項に記載の留め具と、前記バンド体とからなり、
前記バンド体は、前記バンド体の一端が前記留め具本体から延び出るようにして、その留め具本体と一体に形成される、バンド装置。
【発明の詳細な説明】
【技術分野】
【０００１】
この発明は、立設物にバンド体を取り付けるためのものであって、特に積雪に対応可能な、バンド体用の留め具、留め具本体用のカバー体、およびバンド装置に関するものである。
【背景技術】
【０００２】
従来、電柱などにバンドを巻き付ける際に、バンドを留めるためのバンド締付具が用いられていた（例えば、特許文献１参照）。図１２に示すように、このバンド締付具２１は、バンド２２の一端が係止されるベース部２３と、バンド２２の他端側が係合する回動レバー２４とから構成されて、回動レバー２４を、開いた側から閉じた側に回動することで、バンド２２を緊張した状態で留めることができた。
【先行技術文献】
【特許文献】
【０００３】
【特許文献１】特開２０１３−１３９８４９号公報
【発明の概要】
【発明が解決しようとする課題】
【０００４】
しかし、前記従来のバンド締付具２１（留め具）にあっては、バンド締付具２１とバンド２２とで、電柱２５に電柱標識板を縛り付けると、バンド締付具２１の部分が電柱の表面から突出することとなった。このため、バンド締付具２１やバンド２２が降り積もった雪の中に埋まるような環境下では、積雪後、その雪が締まり沈み込む際に、バンド締付具２１にかかる圧力によって、バンド２２が伸びたりずれたりする等の不具合が生じるおそれがあった。
【０００５】
この発明は、上記した従来の欠点を解決するためになされたものであり、その目的とするところは、降り積もった雪が締まり沈み込むことで生じる雪の圧力を緩和することができる、バンド体用の留め具、留め具本体用のカバー体、およびバンド装置を提供することにある。
【課題を解決するための手段】
【０００６】
この発明に係るバンド体用の留め具、留め具本体用のカバー体、およびバンド装置は、前記目的を達成するために、次の構成からなる。すなわち、
請求項１に記載の発明に係るバンド体用の留め具は、立設物にバンド体を回してそのバンド体を前記立設物に取り付けるための、バンド体用の留め具であって、前記立設物に回された前記バンド体を、そのバンド体が前記立設物を締め付けた状態で固定可能な留め具本体と、その留め具本体に対し前記バンド体の回し方向と直交する縦方向の一方側にある、傾斜面形成部とを備える。ここで、前記傾斜面形成部は、前記留め具本体の突出する頂部側から前記立設物に向けて、前記留め具本体から離れるように傾斜して下る傾斜外表面を有する。
【０００７】
この留め具によると、その留め具本体によって、立設物に回されたバンド体は、そのバンド体が立設物を締め付けた状態で固定される。この留め具は、傾斜外表面を有する傾斜面形成部を備えている。このため、降り積もった雪が締まることで生じる雪の圧力を、傾斜外表面によって逃がすことができる。そして、この傾斜面形成部は、バンド体の回し方向と直交する縦方向の一方側にある。そこで、この傾斜面形成部、つまりは傾斜外表面を、上側に位置させれば、降り積もった雪が締まり沈み込むことで生じる雪の圧力を、傾斜外表面によって逃がすことができる。
【０００８】
また、請求項２に記載の発明に係るバンド体用の留め具は、請求項１に記載の留め具において、前記傾斜面形成部の他に、前記留め具本体に対し前記縦方向の一方側とは異なる側にある、他側傾斜面形成部を備え、その他側傾斜面形成部は、前記留め具本体の突出する頂部側から前記立設物に向けて、前記留め具本体から離れるように傾斜して下る他側傾斜外表面を有する。これにより、降り積もった雪が締まることで生じる雪の圧力を、他側傾斜外表面によっても逃がすことができる。
【０００９】
また、請求項３に記載の発明に係るバンド体用の留め具は、請求項２に記載の留め具において、前記傾斜外表面は、前記他側傾斜外表面よりも、その傾斜が緩やかである。こうして、傾斜外表面の傾斜を緩やかにすることで、その傾斜外表面が上側にあるとき、降り積もった雪が締まり沈み込むことで生じる雪の圧力を効率よく逃がすことができる。
【００１０】
また、請求項４に記載の発明に係るバンド体用の留め具は、請求項１に記載の留め具において、前記留め具本体を覆うようにしてその留め具本体に取付け固定される、カバー体を備え、そのカバー体に、前記傾斜面形成部が設けられる。
【００１１】
また、請求項５に記載の発明に係るバンド体用の留め具は、請求項２または３に記載の留め具において、前記留め具本体を覆うようにしてその留め具本体に取付け固定される、カバー体を備え、そのカバー体に、前記傾斜面形成部および前記他側傾斜面形成部が設けられる。
【００１２】
また、請求項６に記載の発明に係るバンド体用の留め具は、請求項４または５に記載のバンド体用の留め具において、前記カバー体は、そのカバー体内部に充填材を注入するための注入口、または、打ち抜かれることで前記注入口が形成されるノックアウト部を有する。こうして、カバー体に設けられる注入口、あるいは、ノックアウト部を打ち抜くことで形成される注入口から、カバー体の内側に充填材を充填すれば、留め具本体とカバー体とを一体化することができる。
【００１３】
また、請求項７に記載の発明に係る留め具本体用のカバー体は、立設物に回されたバンド体を、そのバンド体が前記立設物を締め付けた状態で固定可能な留め具本体に、その留め具本体を覆うようにして取付け固定される、カバー体である。このカバー体は、前記留め具本体に対し前記バンド体の回し方向と直交する縦方向の一方側にある、傾斜面形成部を備える。この傾斜面形成部は、前記留め具本体の突出する頂部側から前記立設物に向けて、前記留め具本体から離れるように傾斜して下る傾斜外表面を有する。
【００１４】
このカバー体が取付け固定される留め具本体によって、立設物に回されたバンド体は、そのバンド体が立設物を締め付けた状態で固定される。このカバー体は、傾斜外表面を有する傾斜面形成部を備えている。このため、降り積もった雪が締まることで生じる雪の圧力を、傾斜外表面によって逃がすことができる。そして、この傾斜面形成部は、バンド体の回し方向と直交する縦方向の一方側にある。そこで、この傾斜面形成部、つまりは傾斜外表面を、上側に位置させれば、降り積もった雪が締まり沈み込むことで生じる雪の圧力を、傾斜外表面によって逃がすことができる。
【００１５】
また、請求項８に記載の発明に係るバンド装置は、請求項１に記載の留め具と、前記バンド体とからなる。ここで、前記傾斜面形成部は、前記留め具本体と一体に形成される。そして、前記バンド体は、前記バンド体の一端が前記留め具から延び出るようにして、その留め具と一体に形成される。
【００１６】
また、請求項９に記載の発明に係るバンド装置は、請求項２または３に記載の留め具と、前記バンド体とからなる。ここで、前記傾斜面形成部および前記他側傾斜面形成部は、前記留め具本体と一体に形成される。そして、前記バンド体は、前記バンド体の一端が前記留め具から延び出るようにして、その留め具と一体に形成される。
【００１７】
また、請求項１０に記載の発明に係るバンド装置は、請求項４ないし６のいずれか１項に記載の留め具と、前記バンド体とからなる。ここで、前記バンド体は、前記バンド体の一端が前記留め具本体から延び出るようにして、その留め具本体と一体に形成される。
【発明の効果】
【００１８】
この発明に係るバンド体用の留め具、留め具本体用のカバー体、およびバンド装置によれば、傾斜外表面を設けることで、降り積もった雪が締まり沈み込むことで生じる雪の圧力を逃がすことができ、その結果、その雪の圧力を緩和することができる。
【図面の簡単な説明】
【００１９】
【図１】この発明の一実施の形態の、立設物にバンド体を取り付けた状態を示す、横断面図である。
【図２】同じく、立設物にバンド体を取り付けた状態を示す、要部拡大横断面図である。
【図３】同じく、立設物にバンド体を取り付けた状態を示す、要部拡大縦断面図である。
【図４】同じく、留め具本体の断面図である。
【図５】同じく、カバー体の正面図である。
【図６】同じく、カバー体の背面図である。
【図７】同じく、カバー体の左側面図である。
【図８】同じく、カバー体の縦断面図である。
【図９】同じく、カバー体の横断面図である。
【図１０】同じく、カバー体の、正面側から見た斜視図である。
【図１１】同じく、カバー体の、背面側から見た斜視図である。
【図１２】従来のバンド締め付け具を示す断面図である。
【発明を実施するための形態】
【００２０】
以下、この発明に係るバンド体用の留め具、留め具本体用のカバー体、およびバンド装置を実施するための形態を図面に基づいて説明する。
【００２１】
図１〜図１１は、本発明の一実施の形態を示す。図中符号１は、立設物を示す。２は、前記立設物１に回されるバンド体を示す。３は、前記立設物１に前記バンド体２を回してそのバンド体２を立設物１に取り付けるための、バンド体用の留め具を示す。４は、前記留め具３と前記バンド体２とからなるバンド装置を示す。
【００２２】
留め具３は、立設物１に回されたバンド体２を、そのバンド体２が立設物１を締め付けた状態で固定可能な留め具本体５と、その留め具本体５に対しバンド体２の回し方向と直交する縦方向Ｖの一方側にある、第１傾斜面形成部７（傾斜面形成部）とを備える。ここで、第１傾斜面形成部７は、留め具本体５の突出する頂部５ａ側から立設物１に向けて、留め具本体５から離れるように傾斜して下る第１傾斜外表面７ａ（傾斜外表面）を有する。
【００２３】
詳細には、留め具３は、第１傾斜面形成部７の他に、留め具本体５に対し前記縦方向Ｖの一方側とは異なる側にある、他側傾斜面形成部８を備え、その他側傾斜面形成部８は、留め具本体の突出する頂部５ａ側から立設物１に向けて、留め具本体５から離れるように傾斜して下る他側傾斜外表面８ａを有している。そして、第１傾斜外表面７ａは、他側傾斜外表面８ａよりも、その傾斜が緩やかとなっている。
【００２４】
より詳細には、他側傾斜面形成部８は、前記縦方向Ｖの一方側とは反対の他方側にある第２傾斜面形成部９を備えて、その第２傾斜面形成部９が、前記他側傾斜外表面８ａとしての第２傾斜外表面９ａを有する。さらに、他側傾斜面形成部８は、前記縦方向Ｖに直交する横方向Ｗの側にある第３傾斜面形成部１０、１０を備えて、その第３傾斜面形成部１０が、前記他側傾斜外表面８ａとしての第３傾斜外表面１０ａを有している。また、他側傾斜面形成部８は、第１傾斜面形成部７と第３傾斜面形成部１０、１０とを繋ぐようにして第４傾斜面形成部１１、１１を備えて、その第４傾斜面形成部１１が、前記他側傾斜外表面８ａとしての第４傾斜外表面１１ａを有する。同様に、他側傾斜面形成部８は、第２傾斜面形成部９と第３傾斜面形成部１０、１０とを繋ぐようにして第５傾斜面形成部１２、１２を備えて、その第５傾斜面形成部１２が、前記他側傾斜外表面８ａとしての第５傾斜外表面１２ａを有する。
【００２５】
具体的には、留め具３は、第１傾斜面形成部７および他側傾斜面形成部８が、留め具本体５とは別体に形成される。詳細には、留め具３は、前記留め具本体５を備えるとともに、前記留め具本体５に、その留め具本体５を覆うようにして取付け固定される、留め具本体用のカバー体１３を備え、そのカバー体１３に、前記第１傾斜面形成部７および他側傾斜面形成部８が設けられる。
【００２６】
留め具本体５は、前記バンド体２を係止するものであって、バンド体２が通される通し孔５ｃと、その通し孔５ｃに通されたバンド体２を係止する係止爪５ｄとを有する。図示実施の形態においては、留め具本体５は、合成樹脂製の本体部材５０１と、金属製の爪部材５０２とを備える。そして、この爪部材５０２に、前記係止爪５ｄが設けられる。
【００２７】
詳細には、本体部材５０１においては、通し孔５ｃが、中央に隔壁５ｅを残すようにして、両側にあけられ、さらに、その外側に、爪部材５０２が取り付けられる取付孔５ｆがあけられている。そして、通し孔５ｃと取付孔５ｆとの間は、頂部５ａ側に設けられた連通部５ｇによって通じている。また、取付孔５ｆには、爪部材５０２の後述する係合片５ｊと係合する係合部５ｈが設けられている。
【００２８】
爪部材５０２は、金属製の板材からなり、本体部材５０１の取付孔５ｆに挿入される基部５ｉと、その基部５ｉから延びる前記係止爪５ｄとを有する。そこで、基部５ｉに、係合片５ｊが設けられ、その係合片５ｊが、本体部材５０１の係合部５ｈと係合することで、爪部材５０２は、本体部材５０１に取り付けられる。そして、係止爪５ｄは、連通部５ｇを通って通し孔５ｃに達するように斜めに延びている。
【００２９】
そこで、バンド体２を、立設物１に回し、その各端を、留め具本体５（詳しくは、本体部材５０１）の通し孔５ｃに通すことで、バンド体２が係止爪５ｄによって係止されて固定される。この際、留め具本体５から飛び出るバンド体２の不要部分を切除することで、後に詳述するカバー体１３を留め具本体５にかぶせることができる。
【００３０】
なお、図示実施の形態においては、バンド体２は、立設物１の全周に回されるのではなく、部分的に回されている。ここで、立設物１は、例えば電柱であって、その立設物１に、被取付体としての標識板１４を取り付けるために、バンド体２および留め具３が用いられている。この標識板１４には、両端に孔１４ａがあけられ、バンド体２は、その孔１４ａに通されて折り返されている（図１参照）。
【００３１】
カバー体１３は、留め具本体５を覆うカバー本体１３ａを備えるとともに、前記第１傾斜面形成部７および他側傾斜面形成部８を備え、その傾斜面形成部７、８が、カバー本体１３ａと一体に形成される。カバー本体１３ａは、留め具本体５の頂部５ａを覆う頂板部１３ｂと、その頂板部１３ｂの周縁から折れ曲がって延びて留め具本体５の周面を覆う四角形状の枠状部１３ｃとを備え、それら頂板部１３ｂと枠状部１３ｃとで、箱型に形成される。そして、傾斜面形成部７、８は、カバー本体１３ａにおける頂板部１３ｂから四方に延設されるようにして形成されている。また、枠状部１３ｃの延びる先端部分には、その枠状部１３ｃの内側に突出する係止部１３ｄが設けられている。そこで、カバー体１３（詳しくは、カバー本体１３ａ）を留め具本体５にかぶせると、係止部１３ｄが、留め具本体５（詳しくは、底面５ｂ）に係合し、カバー体１３は、留め具本体５に取付け固定される。なお、図中符号１３ｅは、バンド体２を逃がすために、カバー体１３に設けられた切欠きを示す。
【００３２】
次に、以上の構成からなる留め具３、カバー体１３、およびバンド装置４の作用効果について説明する。留め具３（詳しくは、留め具本体５）によって、立設物１に回されたバンド体２は、そのバンド体２が立設物１を締め付けた状態で固定される。そして、留め具３（図示実施の形態においては、留め具３を構成するカバー体１３）は、第１傾斜外表面７ａを有する第１傾斜面形成部７を備えている。このため、降り積もった雪が締まることで生じる雪の圧力を、第１傾斜外表面７ａによって逃がすことができる。そして、この第１傾斜面形成部７は、バンド体２の回し方向と直交する縦方向Ｖの一方側にある。そこで、この第１傾斜面形成部７、つまりは第１傾斜外表面７ａを、上側に位置させれば、降り積もった雪が締まり沈み込むことで生じる雪の圧力を、第１傾斜外表面７ａによって逃がすことができる。すなわち、留め具３に第１傾斜外表面７ａを設けることで、降り積もった雪が締まり沈み込むことで生じる雪の圧力を逃がすことができ、その結果、その雪の圧力を緩和することができる。
【００３３】
また、留め具３は、第１傾斜面形成部７の他に、他側傾斜外表面８ａを有する他側傾斜面形成部８を備えている。こうして、他側傾斜面形成部８（詳しくは、他側傾斜外表面８ａ）があることで、降り積もった雪が締まることで生じる雪の圧力を、他側傾斜外表面８ａによっても逃がすことができる。そして、留め具３の向きを変えた場合であっても、その他側傾斜面形成部８が上側に位置すれば、降り積もった雪が締まり沈み込むことで生じる雪の圧力を逃がすことができ、その雪の圧力を緩和することができる。また、図示実施の形態においては、第１傾斜外表面７ａおよび他側傾斜外表面８ａで、留め具本体５の頂部５ａ側から立設物１に向かう周面の全体が構成される。このため、降り積もった雪が締まることで生じる雪の圧力を的確に逃がすことができる。
【００３４】
また、第１傾斜外表面７ａは、他側傾斜外表面８ａよりも、その傾斜が緩やかとなっている。こうして、第１傾斜外表面７ａの傾斜を緩やかにすることで、その第１傾斜外表面７ａ（第１傾斜面形成部７）が上側にあるとき、降り積もった雪が締まり沈み込むことで生じる雪の圧力を効率よく逃がすことができる。すなわち、第１傾斜外表面７ａの傾斜が緩やかとなることで、その第１傾斜外表面７ａを押す雪が、第１傾斜外表面７ａに沿って下方に滑りやすくなる。このため、第１傾斜外表面７ａを押す雪の圧力は、鉛直下方にかかる力が減少する。そして、雪の圧力は、より立設物１側を向くようになる。そこで、雪の圧力によって、留め具３がその下端（立設物１側の下端）を支点にして前方（手前）に回動する度合いを小さくすることができ、また、その留め具３の回動によって生じるバンド体２の捩れの度合いを小さくすることができる。また、このように、バンド体２の捩れの度合いが小さくなることで、雪が溶けた後には、そのバンド体２の捩れが元に戻り易く、バンド体２による立設物１の締め付け状態を維持することが可能となる。また、特に、バンド体２が、ポリアセタール樹脂とかポリアミド樹脂等の合成樹脂を基材とし、アラミド繊維とかガラス繊維等の繊維素材で補強した、繊維強化樹脂（繊維強化プラスチック）からなる場合には、バンド体２が金属からなる場合と比較して、伸縮からの復元力が高く、バンド体２が捩れから容易に復帰することができる。
【００３５】
なお、本発明は、上述した実施の形態に限定されるわけではなく、その他種々の変更が可能である。例えば、立設物１は、電柱からならなくとも、ポールとか支柱、さらには立木等からなってもよく、また、鉛直方向に延びるものに限らず、斜め方向に延びるもの（例えば、電柱に斜めに掛けられた支持材等）であってもよい。
【００３６】
また、バンド体２は、立設物１に部分的に回される以外に、立設物１の全周に回されてもよい。
【００３７】
また、留め具３は、第１傾斜面形成部７の他に、他側傾斜面形成部８を備えるが、この他側傾斜面形成部８は、無くてもよい。
【００３８】
また、図示を省略するが、カバー体１３は、そのカバー体内部に充填材を注入するための注入口、または、打ち抜かれることで前記注入口が形成されるノックアウト部を、頂板部１３ｂ等に有してもよい。こうして、カバー体１３に設けられる注入口、あるいは、ノックアウト部を打ち抜くことで形成される注入口から、カバー体１３の内側に充填材を充填すれば、留め具本体５とカバー体１３とを一体化することができ、留め具本体５からのカバー体１３の外れを的確に防止することができる。
【００３９】
また、カバー体１３に、バンド体２の先端を引き出すための孔があけられてもよい。これにより、カバー体１３を留め具本体５に取り付けた状態で、バンド体２を留め具本体５の通し孔５ｃに通すとともに、カバー体１３に設けた前記孔から引き出して、そのバンド体２で立設物１を締め付けることができる。
【００４０】
また、バンド体２は、留め具本体５とは互いに分離した別部材からなるが、このバンド体２は、バンド体２の一端が留め具本体５から延び出るようにして、その留め具本体５と一体に形成されてもよい。この場合、バンド体２は、前記一端とは反対の他端から通し孔５ｃに通される。つまり、留め具本体５（詳しくは、本体部材５０１）に設けられる通し孔５ｃは、一つあればよい。
【００４１】
また、留め具３は、カバー体１３を備えるが、このカバー体１３を設けることなく、第１傾斜面形成部７および他側傾斜面形成部８が、留め具本体５と一体に形成されてもよい。この場合、バンド体２は、留め具３とは互いに分離した別部材からなってもよく、また、バンド体２の一端が留め具３から延び出るようにして、その留め具３と一体に形成されてもよい。この場合、バンド体２は、前記一端とは反対の他端から通し孔５ｃに通される。つまり、留め具３に設けられる通し孔５ｃは、一つあればよい。
【００４２】
また、留め具本体５において、バンド体２を係止する係止爪５ｄは、本体部材５０１とは別部材である爪部材５０２に設けられているが、この爪部材５０２を設けることなく、本体部材５０１と一体となるように、係止爪５ｄを設けてもよい。つまり、係止爪５ｄは、本体部材５０１と一体の例えば合成樹脂からなってもよい。
【００４３】
また、留め具本体５は、立設物１から突出するものであって、バンド体２を留める機構を有するものであればよく、係止爪５ｄを有する構造に限らず、バックル等、どのような構造のものでもよい。
【符号の説明】
【００４４】
１  立設物
２  バンド体
３  留め具
４  バンド装置
５  留め具本体
５ａ  頂部
７  第１傾斜面形成部（傾斜面形成部）
７ａ  第１傾斜外表面（傾斜外表面）
８  他側傾斜面形成部
８ａ  他側傾斜外表面
１３  カバー体
Ｖ  縦方向
【図１】
2018151034.tif 000003
【図２】
2018151034.tif 000004
【図３】
2018151034.tif 000005
【図４】
2018151034.tif 000006
【図５】
2018151034.tif 000007
【図６】
2018151034.tif 000008
【図７】
2018151034.tif 000009
【図８】
2018151034.tif 000010
【図９】
2018151034.tif 000011
【図１０】
2018151034.tif 000012
【図１１】
2018151034.tif 000013
【図１２】
2018151034.tif 000014